(57)【要約】【課題】  中型或は小型の液晶パネルを複数接ぎ合わせた大型の液晶パネルを作成するマルチ液晶パネルの製造方法において、表示の違和感を生じさせないマルチ液晶パネルの製造方法を提供することを課題とする。【解決手段】  片端子型のアレイ側基板２１と、このアレイ側基板と構造において対称となるアレイ側基板２１´とを用いて、異なる二種類の液晶パネル２０ａ、２０ｃを製造し、端子部が形成された辺２３、２３´と反対側の辺２４、２４´において継ぎ合わせることによりマルチ液晶パネル１０を製造することにより、マルチ液晶パネル１０の継ぎ目が目立つことによる表示の違和感を抑え、またカラーフィルタの配置が左右逆になることによる表示の違和感、更にはカラーフィルタ基板が上下逆になることによる表示の違和感を抑えることができる。【選択図】        図１
2006133597.tif 000002
【特許請求の範囲】
【請求項１】
液晶パネルを複数接ぎ合わせて製造するマルチ液晶パネルの製造方法において、
異なる二種類の片端子型液晶パネルを用い、端子部側端面とは反対側の端面をそれぞれ対向させるように配置し、そして異なる片端子型液晶パネル同士を接ぎ合わせることを特徴とするマルチ液晶パネルの製造方法。
【請求項２】
液晶パネルを複数接ぎ合わせて製造するマルチ液晶パネルの製造方法において、
まず、構造が対称となるアレイ側基板を用いて異なる二種類の片端子型液晶パネルを製造し、
次に、端子部側端面とは反対側の端面をそれぞれ対向させるようにして配置し、そして異なる片端子型液晶パネル同士を接ぎ合わせることを特徴とするマルチ液晶パネルの製造方法。
【請求項３】
液晶パネルを複数接ぎ合わせて製造するマルチ液晶パネルの製造方法において、
まず、カラーフィルタの配置順が逆となるカラーフィルタ基板を用いて異なる二種類の片端子型液晶パネルを製造し、
次に、端子部側端面とは反対側の端面をそれぞれ対向させるように配置し、そして異なる片端子型液晶パネル同士を接ぎ合わせることを特徴とするマルチ液晶パネルの製造方法。
【請求項４】
前記異なる二種類の片端子型液晶パネルをそれぞれ２枚ずつ用いてマルチ液晶パネルを製造することを特徴とする請求項１から３の何れか一項に記載のマルチ液晶パネルの製造方法。
【請求項５】
前記異なる二種類の片端子型液晶パネルをそれぞれ２枚以上用いてマルチ液晶パネルを製造することを特徴とする請求項１から３の何れか一項に記載のマルチ液晶パネルの製造方法。
【発明の詳細な説明】
【技術分野】
【０００１】
本発明は、中・小型の液晶パネルを複数接ぎ合わせて大型の液晶パネルを形成してなる、所謂マルチパネルを用いたマルチパネル型液晶表示装置の製造方法に関するものである。
【背景技術】
【０００２】
例えば、屋外テレビ放送や屋外広告等に用いる液晶表示装置は、その大きさが大きければ大きいほど、より多くの人が観察することができ、また迫力を与えると共により強い印象を与えることができる。
【０００３】
このような大きな液晶表示装置を一枚の液晶パネルで作成することは、製造装置や製造プロセス等の関係で現実には容易ではない。そこで例えば特許文献１に記載されているような、中型或は小型の液晶パネルを複数接ぎ合わせた大型の液晶パネルを作成したマルチ液晶パネルが知られている。
【特許文献１】特開２００２−１５６６２３
【発明の開示】
【発明が解決しようとする課題】
【０００４】
マルチパネルを構成する液晶パネルは、通常大きさの異なる一対のガラス基板間に液晶を狭持したものである。このような液晶パネルを用いてマルチパネルを構成したものを図３に示す。なお図においてＲとＧとＢについて示しているのは、液晶パネルにおけるカラーフィルタ基板のカラーフィルタの色の順を拡大して示したものである。
【０００５】
図３左上に表示する液晶パネル１はＴＶ用やモニター用に用いられるサイズ、例えば１５インチ程度の液晶パネルである。液晶パネル１は上記のように一対のガラス基板間に液晶を狭持しており、また所謂額縁部分においてゲート端子、ソース端子等の表示に用いられる端子が形成されている。これらの端子は基板上、或はフレキシブル基板を介して、表示用の各ドライバへ接続される。
【０００６】
この液晶パネル１を４枚用いてマルチパネルを構成すると、図３に示すように右上に示す位置に配置された液晶パネル１は、左上に示す液晶パネル１に対して表裏逆になる。そして３つのサブ画素Ｒ、Ｇ、Ｂで構成される画素の配置も逆になる。また左下に示す位置に配置した場合にも液晶パネル１は、左上に示す液晶パネル１に対して表裏逆になってしまう。また右下に示す位置に液晶パネル１を配置すると、左上に示す液晶パネル１に対して、３つのサブ画素Ｒ、Ｇ、Ｂで構成される画素の配置も逆になる。なお破線で示しているのは液晶パネル１における一対の基板のうち、カラーフィルタ基板が観察者側に位置していない状態でのカラーフィルタ基板を示している。
【０００７】
図３のＡ−Ａ´の断面図を図４に示す。なお本来一対の基板間に狭持されている液晶については図示していない。図示するように左下に位置する液晶パネル１は、左上に位置する液晶パネル１とカラーフィルタ基板が逆になる。また右下に位置する液晶パネル１は、左上に位置する液晶パネル１とカラーフィルタの配置が左右反転する。
【０００８】
このように一枚の液晶パネル１を用いてマルチパネルを構成しようとすると、カラーフィルタの配置が左右逆になることによる表示の違和感、またカラーフィルタ基板が上下逆になることによる表示の違和感が生じるという問題がある。
【０００９】
また本出願人は本願に先立って、表示ムラの発生を抑制する等の目的で片端子型液晶パネルに関する特願２００３−１２９４２９を行っている。この片端子型液晶パネルを用いてマルチ液晶パネルを構成すると、液晶パネルの継ぎ目が目立たない等の優れた特徴を有している。しかしながらこの片端子型液晶パネルを一枚用いてマルチ液晶パネルを構成しようとしても、上記と同様の問題が生じる。つまりカラーフィルタの配置が左右逆になることによる表示の違和感が生じるということである。
【００１０】
そこで本発明は、このような中型或は小型の液晶パネルを複数接ぎ合わせた大型の液晶パネルを作成するマルチ液晶パネルの製造方法において、表示の違和感を生じさせないマルチ液晶パネルの製造方法を提供することを目的とする。
【課題を解決するための手段】
【００１１】
上記課題を解決するため、請求項１に記載の本発明は、液晶パネルを複数接ぎ合わせて製造するマルチ液晶パネルの製造方法において、異なる二種類の片端子型液晶パネルを用い、端子部側端面とは反対側の端面をそれぞれ対向させるように配置し、そして異なる片端子型液晶パネル同士を接ぎ合わせることを特徴とする。
【００１２】
また請求項２に記載の本発明は、液晶パネルを複数接ぎ合わせて製造するマルチ液晶パネルの製造方法において、まず、構造が対称となるアレイ側基板を用いて異なる二種類の片端子型液晶パネルを製造し、次に、端子部側端面とは反対側の端面をそれぞれ対向させるようにして配置し、そして異なる片端子型液晶パネル同士を接ぎ合わせることを特徴とする。
【００１３】
また請求項３に記載の本発明は、液晶パネルを複数接ぎ合わせて製造するマルチ液晶パネルの製造方法において、まず、カラーフィルタの配置順が逆となるカラーフィルタ基板を用いて異なる二種類の片端子型液晶パネルを製造し、次に、端子部側端面とは反対側の端面をそれぞれ対向させるように配置し、そして異なる片端子型液晶パネル同士を接ぎ合わせることを特徴とする。
【発明の効果】
【００１４】
このような構成により、液晶パネルの継ぎ目が目立つことによる表示の違和感を抑え、またカラーフィルタの配置が左右逆になることによる表示の違和感、更にはカラーフィルタ基板が上下逆になることによる表示の違和感を抑えたマルチ液晶パネルを製造することができる。
【発明を実施するための最良の形態】
【００１５】
本発明におけるマルチ液晶パネルの製造方法は、液晶パネルを複数接ぎ合わせてマルチ液晶パネルを形成する際に、異なる二種類の片端子型液晶パネルを用い、端子部側端面とは反対側の端面をそれぞれ対向させるように配置し、そして異なる片端子型液晶パネル同士を接ぎ合わせてマルチ液晶パネルを製造する。
【実施例１】
【００１６】
図１に本発明による製造方法により製造したマルチ液晶パネルを示す。マルチ液晶パネル１０は、４枚の液晶パネルを接ぎ合せたものである。なお図においてＲとＧとＢについて示しているのは、液晶パネルにおけるカラーフィルタ基板のカラーフィルタの色の順を拡大して示したものである。
【００１７】
このうち、液晶パネル２０ａ、２０ｂとは同一の液晶パネルである。また液晶パネル２０ｃ、２０ｄとは同一の液晶パネルである。
【００１８】
液晶パネル２０ａについて説明すると、走査線や信号線を格子状に形成すると共に、走査線と信号線の交差部にスイッチング素子であるＴＦＴを形成し、各画素に応じて画素電極が形成されたアレイ側基板２１と、Ｒ、Ｇ、Ｂ３色のカラーフィルタが各画素に対応してＲ、Ｇ、Ｂという順に形成されたカラーフィルタ側基板２２とを、対向させて配置し、両基板間に液晶層（図示せず）を形成するようにして作られているものである。
【００１９】
そしてアレイ側基板２１に形成される走査線及び信号線は、各々の線にそれぞれの信号を供給するドライバと接続するための端子部を一辺側２３に集めた、所謂片端子型となるよう形成されている。なおこの片端子型の詳細については、本出願人の先願である特願２００３−１２９４２９等に記載されている。このような片端子型の液晶パネルは、マルチ液晶パネルを形成する際に、接ぎ合せ部で問題となる額縁部分の削減等に非常に有効である。
【００２０】
なお、液晶パネル２０ｂも液晶パネル２０ａと同一のものであり、液晶パネル２０ａと同様にアレイ側基板２１とカラーフィルタ側基板２２とを対向させて、両基板間に液晶層を形成するようにして作られているものであり、ドライバ接続のための端子部を一辺側２３に集めた片端子型の液晶パネルとなっている。
【００２１】
液晶パネル２０ｃについて説明すると、液晶パネル２０ａと同様に、走査線や信号線、スイッチング素子、画素電極が形成され、またドライバ接続のための端子部を一辺側２３´に集めた片端子型のアレイ側基板２１´と、一定の配置順でカラーフィルタが形成されたカラーフィルタ側基板２２´とを対向配置し、両基板間に液晶層を形成するようにして作られているものである。
【００２２】
このとき、アレイ側基板２１´の走査線、信号線等の配置は、端子部が形成された辺２３と反対側の辺２４に対し、アレイ側基板２１と線対称になるよう、そのようなマスクパターンを用いてパターンニングすることにより形成されている。
【００２３】
また、カラーフィルタ側基板２２´のカラーフィルタの配置順は、カラーフィルタ側基板２２のカラーフィルタの配置順と同様にＲ、Ｇ、Ｂとしている。
【００２４】
なお、液晶パネル２０ｄも液晶パネル２０ｃと同一のものであり、アレイ側基板２１と線対称なアレイ側基板２１´と、カラーフィルタの配置順がカラーフィルタ側基板２２と同様なカラーフィルタ側基板２２´とを対向させて、両基板間に液晶層を形成するようにして作られているものであり、ドライバ接続のための端子部を一辺側２３´に集めた片端子型の液晶パネルとなっている。
【００２５】
このように製造した、二種類の片端子型の液晶パネル２０ａ（２０ｂ）、２０ｃ（２０ｄ）を、それぞれカラーフィルタ側基板２２、２２´が観察者側に位置するように配置すると共に、端子部が形成された辺２３、２３´と反対側の辺２４、２４´を対向させて配置し、異なる液晶パネル２０ａ、２０ｃとを接ぎ合わせて、マルチ液晶パネル１０を製造している。
【００２６】
このように、片端子型のアレイ側基板と、このアレイ側基板と構造において対称となるアレイ側基板とを用いて、異なる二種類の液晶パネルを製造し、端子部が形成された辺とは反対側の辺において継ぎ合わせることによりマルチ液晶パネルを製造することにより、液晶パネルの継ぎ目が目立つことによる表示の違和感を抑え、またカラーフィルタの配置が左右逆になることによる表示の違和感、更にはカラーフィルタ基板が上下逆になることによる表示の違和感を抑えたマルチ液晶パネルを製造することができる。
【００２７】
なお、実施例においては、異なる二種類の片端子型液晶パネルをそれぞれ２枚ずつ用いて、４枚の液晶パネルでマルチ液晶パネルを製造しているが、マルチ液晶パネルを４枚の液晶パネルで構成することに限定するものではない。異なる二種類の片端子型液晶パネルを３枚ずつ、或はそれ以上の枚数を用いてマルチ液晶パネルを製造してもよい。
【実施例２】
【００２８】
図２は本発明による製造方法により製造したマルチ液晶パネルの他の実施例を示す。マルチ液晶パネル１１は、異なる二種類の液晶パネル３０ａ、３０ｂとをそれぞれ２枚ずつ用い、計４枚の液晶パネルを接ぎ合わせて製造されている。なお図２の（Ａ）には異なる２枚の液晶パネル３０ａ、３０ｂについて示しており、図２の（Ｂ）にはマルチ液晶パネル１１を示している。
【００２９】
液晶パネル３０ａと液晶パネル３０ｂとは異なる片端子型の液晶パネルである。片端子型の液晶パネル３０ａは、走査線や信号線を格子状に形成すると共に、走査線と信号線の交差部にスイッチング素子であるＴＦＴを形成し、各画素に応じて画素電極が形成され、またドライバ接続のための端子部を一辺側３３に集めたアレイ側基板３１と、Ｒ、Ｇ、Ｂ３色のカラーフィルタが各画素に対応してＲ、Ｇ、Ｂという順に形成されたカラーフィルタ側基板３２とを対向させて配置し、両基板間に液晶層（図示せず）を形成するようにして作られているものである。
【００３０】
片端子型の液晶パネル３０ｂは、液晶パネル３０ａと同様のアレイ側基板３１を用いて製造されている。アレイ側基板３１と対向させて配置されるカラーフィルタ側基板３２´は、各画素に対応して形成されるＲ、Ｇ、Ｂ３色のカラーフィルタがカラーフィルタ側基板３２とは反対の順、つまりＢ、Ｇ、Ｒという順に形成されて製造されている。このように液晶パネル３０ｂは、アレイ側基板３１とカラーフィルタ側基板３２´とを対向させて配置し、両基板間に液晶層を形成するようにして製造されている。
【００３１】
このように製造した、二種類の片端子型の液晶パネル３０ａ、３０ｂを、それぞれカラーフィルタ側基板３２、３２´が観察者側に位置するように配置すると共に、端子部が形成された辺３３と反対側の辺３４ａ、３４ｂを互いに対向させて配置し、異なる液晶パネル３０ａ、３０ｂとを接ぎ合わせて、マルチ液晶パネル１１を製造している。
【００３２】
このようにカラーフィルタの配置順が逆となる二種類の片端子型の液晶パネルを用い、端子部が形成された辺とは反対側の辺において継ぎ合わせることによりマルチ液晶パネルを製造することにより、液晶パネルの継ぎ目が目立つことによる表示の違和感を抑え、またカラーフィルタの配置が左右逆になることによる表示の違和感、更にはカラーフィルタ基板が上下逆になることによる表示の違和感を抑えたマルチ液晶パネルを製造することができる。
【００３３】
また、異なる二種類の液晶パネルは、この液晶パネルを構成するアレイ側基板についてはどちらも同様のものを用いているため、アレイ側基板作成のためのパターニング用マスク等を別々に設ける必要がないため、マルチ液晶パネルの製造コストを削減することができる。
【００３４】
なお、実施例においては、異なる二種類の片端子型液晶パネルをそれぞれ２枚ずつ用いて、４枚の液晶パネルでマルチ液晶パネルを製造しているため、マルチ液晶パネルを製造する上で広い場所を必要としないため、ひいては製造コストの削減につながる。
【００３５】
しかしながら、マルチ液晶パネルを４枚の液晶パネルで構成することに限定するものではない。異なる二種類の片端子型液晶パネルを３枚ずつ、或はそれ以上の枚数を用いてマルチ液晶パネルを製造してもよい。このようなマルチ液晶パネルはより大きな表示を可能とするため、観察者により迫力のある映像を提供することができる。
【図面の簡単な説明】
【００３６】
【図１】本発明による製造方法により製造したマルチ液晶パネルの一つの実施例を示す。
【図２】本発明による製造方法により製造したマルチ液晶パネルの他の実施例を示す。
【図３】従来の技術により製造したマルチ液晶パネルを示す。
【図４】図３に示す従来のマルチ液晶パネルにおけるＡ−Ａ´の断面図を示す。
【符号の説明】
【００３７】
１０  マルチ液晶パネル
２０ａ、２０ｂ、２０ｃ、２０ｄ  液晶パネル
２１、２１´  アレイ側基板
２２、２２´  カラーフィルタ側基板
【図１】
2006133597.tif 000003
【図２】
2006133597.tif 000004
【図３】
2006133597.tif 000005
【図４】
2006133597.tif 000006